(57)【要約】【課題】電子名刺等の電気磁気的情報を容易かつ省電力で交換する情報交換システム及び情報交換方法を提供することを課題とする。【解決手段】名刺情報の交換に際して電界通信を用いているので、従来のように相手の携帯端末の宛先情報等を設定しなくとも容易に電子名刺交換を行うことが可能となる。また、携帯端末の開閉状態やボタンのオンオフ状態に基づく場合のみ端末管理部を起動して名刺情報を交換を行い、名刺交換が終了すれば休止状態に戻るので、電力消費を抑えた情報交換システムを提供することが可能となる。【選択図】図１
2010193129.tif 000002
【特許請求の範囲】
【請求項１】
電界を電界伝達媒体に誘起して電界通信を行うことが可能な第１の携帯端末と第２の携帯端末との間で情報を交換する情報交換システムにおいて、
前記第１の携帯端末は、
第１の交換データを蓄積しておく蓄積手段と、
所定の契機に基づいて電力消費を抑える休止状態から起動状態に移行して起動トリガーを前記第２の携帯端末に送信する制御を行い、前記第２の携帯端末から受信した第２の交換データを格納手段に格納すると共に前記蓄積手段から読み出した前記第１の交換データを送信する制御を行って前記休止状態に戻る端末管理手段と、
前記起動トリガーと前記第１の交換データとに対応する電界を電極から前記電界伝達媒体に誘起して電界によりそれぞれ送信し、前記第２の携帯端末から送信された前記第２の交換データを電界により受信する電界通信手段と、を有し、
前記第２の携帯端末は、
前記第２の交換データを蓄積しておく蓄積手段と、
前記電界伝達媒体を介して伝達された前記起動トリガーと前記第１の交換データとを電界によりそれぞれ受信し、前記第２の交換データに対応する電界を電極から前記電界伝達媒体に誘起して電界により送信する電界通信手段と、
受信した前記起動トリガーに基づいて休止状態から起動状態に移行して当該蓄積手段から読み出した前記第２の交換データを送信する制御を行い、受信した前記第１の交換データを格納手段に格納して前記休止状態に戻る端末管理手段と、
を有することを特徴とする情報交換システム。
【請求項２】
起動トリガー出力装置からの起動トリガーに基づいて、電界を電界伝達媒体に誘起して電界通信を行うことが可能な第１の携帯端末と第２の携帯端末との間で情報を交換する情報交換システムにおいて、
前記起動トリガー出力装置は、
所定の時間間隔で前記起動トリガーを出力する制御を行う管理手段と、
前記起動トリガーに対応する電界を電極から前記電界伝達媒体に誘起して電界により出力する電界通信手段と、を有し、
前記第１の携帯端末は、
第１の交換データを蓄積しておく蓄積手段と、
前記電界伝達媒体を介して伝達された前記起動トリガーと前記第２の携帯端末から送信された第２の交換データを電界によりそれぞれ受信し、前記第１の交換データに対応する電界を電極から前記電界伝達媒体に誘起して電界により送信する電界通信手段と、
受信した前記起動トリガーに基づいて休止状態から起動状態に移行して前記蓄積手段から読み出した前記第１の交換データを前記第２の携帯端末に送信する制御を行い、受信した前記第２の交換データを格納手段に格納して前記休止状態に戻る端末管理手段と、を有し、
前記第２の携帯端末は、
前記第２の交換データを蓄積しておく蓄積手段と、
前記電界伝達媒体を介して伝達された前記起動トリガーと前記第１の交換データとを電界によりそれぞれ受信し、前記第２の交換データに対応する電界を電極から前記電界伝達媒体に誘起して電界により送信する電界通信手段と、
受信した前記起動トリガーに基づいて休止状態から起動状態に移行して当該蓄積手段から読み出した前記第２の交換データを前記第１の携帯端末に送信する制御を行い、受信した前記第１の交換データを格納手段に格納して前記休止状態に戻る端末管理手段と、
を有することを特徴とする情報交換システム。
【請求項３】
前記起動トリガー出力装置は、前記第２の携帯端末の優先度よりも前記第１の携帯端末の優先度が高いことを示す優先度情報を更に出力し、
前記第１の携帯端末は、当該優先度情報を受信した後に前記第１の交換データを前記第２の携帯端末に送信し、前記第２の携帯端末は、当該第１の交換データを受信した後に前記第２の交換データを当該第１の携帯端末に送信することを特徴とする請求項２に記載の情報交換システム。
【請求項４】
前記第１の携帯端末は、前記第２の交換データを受信した後に情報交換終了を知らせる通知信号を出力し、
前記第２の携帯端末は、前記第１の交換データを受信した後に前記通知信号を出力することを特徴とする請求項１乃至３のいずれか１項に記載の情報交換システム。
【請求項５】
電界を電界伝達媒体に誘起して電界通信を行うことが可能な第１の携帯端末と第２の携帯端末との間で情報を交換する情報交換システムで処理する情報交換方法において、
前記第１の携帯端末により、
第１の交換データを蓄積手段に蓄積しておくステップと、
所定の契機に基づいて電力消費を抑える休止状態から起動状態に移行して起動トリガーを前記第２の携帯端末に送信する制御を行うステップと、
前記起動トリガーに対応する電界を電極から前記電界伝達媒体に誘起して電界により送信するステップと、を有し、
前記第２の携帯端末により、
第２の交換データを蓄積手段に蓄積しておくステップと、
前記電界伝達媒体を介して伝達された前記起動トリガーを電界により受信するステップと、
受信した前記起動トリガーに基づいて休止状態から起動状態に移行して当該蓄積手段から読み出した前記第２の交換データを送信する制御を行うステップと、
当該第２の交換データに対応する電界を電極から前記電界伝達媒体に誘起して電界により送信するステップと、を有し、
前記第１の携帯端末により、
前記第２の携帯端末から送信された前記第２の交換データを電界により受信するステップと、
当該第２の交換データを格納手段に格納すると共に当該第１の携帯端末の前記蓄積手段から読み出した前記第１の交換データを送信する制御を行って前記休止状態に戻るステップと、を有し、
前記第２の携帯端末により、
前記電界伝達媒体を介して伝達された前記第１の交換データを電界により受信するステップと、
受信した前記第１の交換データを格納手段に格納して前記休止状態に戻るステップと、
を有することを特徴とする情報交換方法。
【請求項６】
起動トリガー出力装置からの起動トリガーに基づいて、電界を電界伝達媒体に誘起して電界通信を行うことが可能な第１の携帯端末と第２の携帯端末との間で情報を交換する情報交換システムで処理する情報交換方法において、
前記起動トリガー出力装置により、
所定の時間間隔で前記起動トリガーを出力する制御を行うステップと、
前記起動トリガーに対応する電界を電極から前記電界伝達媒体に誘起して電界により出力するステップと、を有し、
前記第１の携帯端末により、
第１の交換データを蓄積手段に蓄積しておくステップと、
前記電界伝達媒体を介して伝達された前記起動トリガーを電界により受信するステップと、
受信した前記起動トリガーに基づいて休止状態から起動状態に移行して前記蓄積手段から読み出した前記第１の交換データを前記第２の携帯端末に送信する制御を行うステップと、
前記第１の交換データに対応する電界を電極から前記電界伝達媒体に誘起して電界により送信するステップと、を有し、
前記第２の携帯端末により、
第２の交換データを蓄積手段に蓄積しておくステップと、
前記電界伝達媒体を介して伝達された前記起動トリガーを電界により受信するステップと、
受信した前記起動トリガーに基づいて休止状態から起動状態に移行して当該蓄積手段から読み出した前記第２の交換データを前記第１の携帯端末に送信する制御を行うステップと、
前記第２の交換データに対応する電界を電極から前記電界伝達媒体に誘起して電界により送信するステップと、を有し、
前記第１の携帯端末により、
前記第２の携帯端末から送信された前記第２の交換データを電界により受信するステップと、
受信した前記第２の交換データを格納手段に格納して前記休止状態に戻るステップと、を有し、
前記第２の携帯端末により、
前記第１の携帯端末から送信された前記第１の交換データを電界により受信するステップと、
受信した前記第１の交換データを格納手段に格納して前記休止状態に戻るステップと、
を有することを特徴とする情報交換方法。
【請求項７】
起動トリガー出力装置からの起動トリガーに基づいて、電界を電界伝達媒体に誘起して電界通信を行うことが可能な第１の携帯端末と第２の携帯端末との間で情報を交換する情報交換システムで処理する情報交換方法において、
前記起動トリガー出力装置により、
所定の時間間隔で前記起動トリガーを出力する制御を行うステップと、
前記起動トリガーに対応する電界を電極から前記電界伝達媒体に誘起して電界により出力するステップと、を有し、
前記第１の携帯端末により、
第１の交換データと第１の優先権要求情報とを蓄積手段に蓄積しておくステップと、
前記電界伝達媒体を介して伝達された前記起動トリガーを電界により受信するステップと、
受信した前記起動トリガーに基づいて休止状態から起動状態に移行し、前記蓄積手段から読み出した前記第１の優先権要求情報を前記起動トリガー出力装置に送信する制御を行うステップと、
当該第１の優先権要求情報に対応する電界を電極から前記電界伝達媒体に誘起して電界により送信するステップと、有し、
前記第２の携帯端末により、
第２の交換データと第２の優先権要求情報とを蓄積手段に蓄積しておくステップと、
前記電界伝達媒体を介して伝達された前記起動トリガーを電界により受信するステップと、
受信した前記起動トリガーに基づいて休止状態から起動状態に移行し、当該蓄積手段から読み出した前記第２の優先権要求情報を前記起動トリガー出力装置に送信する制御を行うステップと、
当該第２の優先権要求情報に対応する電界を電極から前記電界伝達媒体に誘起して電界により送信するステップと、を有し、
前記起動トリガー出力装置により、
前記第２の優先権要求情報に対する優先度よりも前記第１の優先権要求情報に対する優先度の方が高いことを定めた優先権情報を蓄積手段に蓄積しておくステップと、
前記第１の携帯端末と前記第２の携帯端末とからそれぞれ送信された前記第１の優先権要求情報と前記第２の優先権要求情報とを電界によりそれぞれ受信するステップと、
当該蓄積手段に蓄積された前記優先権情報を参照し、前記第１の携帯端末の優先度が高いことを示す優先度情報を生成して出力する制御を行うステップと、
当該優先度情報に対応する電界を電極から前記電界伝達媒体に誘起して電界により出力するステップと、を有し、
前記第１の携帯端末により、
前記起動トリガー出力装置から出力された前記優先度情報を電界により受信するステップと、
受信した当該優先度情報を参照し、当該第１の携帯端末の前記蓄積手段から読み出した前記第１の交換データを前記第２の携帯端末に送信する制御を行うステップと、
前記第１の交換データに対応する電界を電極から前記電界伝達媒体に誘起して電界により送信するステップと、を有し、
前記第２の携帯端末により、
前記起動トリガー出力装置から出力された前記優先度情報を電界により受信するステップと、
受信した当該優先度情報を参照し、前記第１の携帯端末から送信された前記第１の交換データを電界により受信して格納手段に格納した後に、当該第２の携帯端末の前記蓄積手段から読み出した前記第２の交換データを前記第１の携帯端末に送信する制御を行うステップと、
前記第２の交換データに対応する電界を電極から前記電界伝達媒体に誘起して電界により送信して休止状態に戻るステップと、を有し、
前記第１の携帯端末により、
前記第２の携帯端末から送信された前記第２の交換データを電界により受信するステップと、
受信した前記第２の交換データを格納手段に格納して前記休止状態に戻るステップと、
を有することを特徴とする情報交換方法。
【発明の詳細な説明】
【技術分野】
【０００１】
本発明は、電界通信技術を用いて所定の情報を交換する情報交換システム及び情報交換方法の技術に関する。
【背景技術】
【０００２】
従来、電子化された名刺情報等を送受信する技術としては、微弱電波や光通信等の無線又は有線の通信路を介して名刺情報を相手の携帯端末に送信する方法や、ブルートゥース（Bluetooth）技術を用いてＩＤやアクセス権を相手の携帯端末に渡して名刺情報を取得する方法や、携帯電話網に名刺情報専用のデータベースを設けておき、携帯端末から特定の命令を送信することにより該データベースから検索した名刺情報を相手の携帯端末に送信する方法が存在している（非特許文献１参照）。
【先行技術文献】
【特許文献】
【０００３】
【特許文献１】特開２００７−１８９３０９号公報
【非特許文献】
【０００４】
【非特許文献１】“電子名刺サービスが相次ぎ登場”、［online］、［平成20年11月10日検索］、インターネット＜URL : http://itpro.nikkeibp.co.jp/members/NIT/ITARTICLE/20010130/1/＞
【発明の概要】
【発明が解決しようとする課題】
【０００５】
しかしながら、前述した従来技術は通信先のアドレスを自身の携帯端末に入力する等の設定や、携帯端末にインストールされているアプリケーションを起動して名刺情報を交換する際のトリガーを手動で行うため、情報交換時における手間や時間を要するという問題があった。また、名刺情報交換のために該アプリケーションを常に起動させる必要があるため、携帯端末に具備されている電池の消耗が大きくなり長時間利用できないという問題があった。
【０００６】
本発明は、上記に鑑みてなされたものであり、電子名刺等の電気磁気的情報を容易かつ省電力で交換する情報交換システム及び情報交換方法を提供することを課題とする。
【課題を解決するための手段】
【０００７】
請求項１に記載の本発明は、電界を電界伝達媒体に誘起して電界通信を行うことが可能な第１の携帯端末と第２の携帯端末との間で情報を交換する情報交換システムにおいて、前記第１の携帯端末は、第１の交換データを蓄積しておく蓄積手段と、所定の契機に基づいて電力消費を抑える休止状態から起動状態に移行して起動トリガーを前記第２の携帯端末に送信する制御を行い、前記第２の携帯端末から受信した第２の交換データを格納手段に格納すると共に前記蓄積手段から読み出した前記第１の交換データを送信する制御を行って前記休止状態に戻る端末管理手段と、前記起動トリガーと前記第１の交換データとに対応する電界を電極から前記電界伝達媒体に誘起して電界によりそれぞれ送信し、前記第２の携帯端末から送信された前記第２の交換データを電界により受信する電界通信手段と、を有し、前記第２の携帯端末は、前記第２の交換データを蓄積しておく蓄積手段と、前記電界伝達媒体を介して伝達された前記起動トリガーと前記第１の交換データとを電界によりそれぞれ受信し、前記第２の交換データに対応する電界を電極から前記電界伝達媒体に誘起して電界により送信する電界通信手段と、受信した前記起動トリガーに基づいて休止状態から起動状態に移行して当該蓄積手段から読み出した前記第２の交換データを送信する制御を行い、受信した前記第１の交換データを格納手段に格納して前記休止状態に戻る端末管理手段と、を有することを要旨とする。
【０００８】
請求項２に記載の本発明は、起動トリガー出力装置からの起動トリガーに基づいて、電界を電界伝達媒体に誘起して電界通信を行うことが可能な第１の携帯端末と第２の携帯端末との間で情報を交換する情報交換システムにおいて、前記起動トリガー出力装置は、所定の時間間隔で前記起動トリガーを出力する制御を行う管理手段と、前記起動トリガーに対応する電界を電極から前記電界伝達媒体に誘起して電界により出力する電界通信手段と、を有し、前記第１の携帯端末は、第１の交換データを蓄積しておく蓄積手段と、前記電界伝達媒体を介して伝達された前記起動トリガーと前記第２の携帯端末から送信された第２の交換データを電界によりそれぞれ受信し、前記第１の交換データに対応する電界を電極から前記電界伝達媒体に誘起して電界により送信する電界通信手段と、受信した前記起動トリガーに基づいて休止状態から起動状態に移行して前記蓄積手段から読み出した前記第１の交換データを前記第２の携帯端末に送信する制御を行い、受信した前記第２の交換データを格納手段に格納して前記休止状態に戻る端末管理手段と、を有し、前記第２の携帯端末は、前記第２の交換データを蓄積しておく蓄積手段と、前記電界伝達媒体を介して伝達された前記起動トリガーと前記第１の交換データとを電界によりそれぞれ受信し、前記第２の交換データに対応する電界を電極から前記電界伝達媒体に誘起して電界により送信する電界通信手段と、受信した前記起動トリガーに基づいて休止状態から起動状態に移行して当該蓄積手段から読み出した前記第２の交換データを前記第１の携帯端末に送信する制御を行い、受信した前記第１の交換データを格納手段に格納して前記休止状態に戻る端末管理手段と、を有することを要旨とする。
【０００９】
請求項３に記載の本発明は、前記起動トリガー出力装置は、前記第２の携帯端末の優先度よりも前記第１の携帯端末の優先度が高いことを示す優先度情報を更に出力し、前記第１の携帯端末は、当該優先度情報を受信した後に前記第１の交換データを前記第２の携帯端末に送信し、前記第２の携帯端末は、当該第１の交換データを受信した後に前記第２の交換データを当該第１の携帯端末に送信することを要旨とする。
【００１０】
請求項４に記載の本発明は、前記第１の携帯端末は、前記第２の交換データを受信した後に情報交換終了を知らせる通知信号を出力し、前記第２の携帯端末は、前記第１の交換データを受信した後に前記通知信号を出力することを要旨とする。
【００１１】
請求項５に記載の本発明は、電界を電界伝達媒体に誘起して電界通信を行うことが可能な第１の携帯端末と第２の携帯端末との間で情報を交換する情報交換システムで処理する情報交換方法において、前記第１の携帯端末により、第１の交換データを蓄積手段に蓄積しておくステップと、所定の契機に基づいて電力消費を抑える休止状態から起動状態に移行して起動トリガーを前記第２の携帯端末に送信する制御を行うステップと、前記起動トリガーに対応する電界を電極から前記電界伝達媒体に誘起して電界により送信するステップと、を有し、前記第２の携帯端末により、第２の交換データを蓄積手段に蓄積しておくステップと、前記電界伝達媒体を介して伝達された前記起動トリガーを電界により受信するステップと、受信した前記起動トリガーに基づいて休止状態から起動状態に移行して当該蓄積手段から読み出した前記第２の交換データを送信する制御を行うステップと、当該第２の交換データに対応する電界を電極から前記電界伝達媒体に誘起して電界により送信するステップと、を有し、前記第１の携帯端末により、前記第２の携帯端末から送信された前記第２の交換データを電界により受信するステップと、当該第２の交換データを格納手段に格納すると共に当該第１の携帯端末の前記蓄積手段から読み出した前記第１の交換データを送信する制御を行って前記休止状態に戻るステップと、を有し、前記第２の携帯端末により、前記電界伝達媒体を介して伝達された前記第１の交換データを電界により受信するステップと、受信した前記第１の交換データを格納手段に格納して前記休止状態に戻るステップと、を有することを要旨とする。
【００１２】
請求項６に記載の本発明は、起動トリガー出力装置からの起動トリガーに基づいて、電界を電界伝達媒体に誘起して電界通信を行うことが可能な第１の携帯端末と第２の携帯端末との間で情報を交換する情報交換システムで処理する情報交換方法において、前記起動トリガー出力装置により、所定の時間間隔で前記起動トリガーを出力する制御を行うステップと、前記起動トリガーに対応する電界を電極から前記電界伝達媒体に誘起して電界により出力するステップと、を有し、前記第１の携帯端末により、第１の交換データを蓄積手段に蓄積しておくステップと、前記電界伝達媒体を介して伝達された前記起動トリガーを電界により受信するステップと、受信した前記起動トリガーに基づいて休止状態から起動状態に移行して前記蓄積手段から読み出した前記第１の交換データを前記第２の携帯端末に送信する制御を行うステップと、前記第１の交換データに対応する電界を電極から前記電界伝達媒体に誘起して電界により送信するステップと、を有し、前記第２の携帯端末により、第２の交換データを蓄積手段に蓄積しておくステップと、前記電界伝達媒体を介して伝達された前記起動トリガーを電界により受信するステップと、受信した前記起動トリガーに基づいて休止状態から起動状態に移行して当該蓄積手段から読み出した前記第２の交換データを前記第１の携帯端末に送信する制御を行うステップと、前記第２の交換データに対応する電界を電極から前記電界伝達媒体に誘起して電界により送信するステップと、を有し、前記第１の携帯端末により、前記第２の携帯端末から送信された前記第２の交換データを電界により受信するステップと、受信した前記第２の交換データを格納手段に格納して前記休止状態に戻るステップと、を有し、前記第２の携帯端末により、前記第１の携帯端末から送信された前記第１の交換データを電界により受信するステップと、受信した前記第１の交換データを格納手段に格納して前記休止状態に戻るステップと、を有することを要旨とする。
【００１３】
請求項７に記載の本発明は、起動トリガー出力装置からの起動トリガーに基づいて、電界を電界伝達媒体に誘起して電界通信を行うことが可能な第１の携帯端末と第２の携帯端末との間で情報を交換する情報交換システムで処理する情報交換方法において、前記起動トリガー出力装置により、所定の時間間隔で前記起動トリガーを出力する制御を行うステップと、前記起動トリガーに対応する電界を電極から前記電界伝達媒体に誘起して電界により出力するステップと、を有し、前記第１の携帯端末により、第１の交換データと第１の優先権要求情報とを蓄積手段に蓄積しておくステップと、前記電界伝達媒体を介して伝達された前記起動トリガーを電界により受信するステップと、受信した前記起動トリガーに基づいて休止状態から起動状態に移行し、前記蓄積手段から読み出した前記第１の優先権要求情報を前記起動トリガー出力装置に送信する制御を行うステップと、当該第１の優先権要求情報に対応する電界を電極から前記電界伝達媒体に誘起して電界により送信するステップと、有し、前記第２の携帯端末により、第２の交換データと第２の優先権要求情報とを蓄積手段に蓄積しておくステップと、前記電界伝達媒体を介して伝達された前記起動トリガーを電界により受信するステップと、受信した前記起動トリガーに基づいて休止状態から起動状態に移行し、当該蓄積手段から読み出した前記第２の優先権要求情報を前記起動トリガー出力装置に送信する制御を行うステップと、当該第２の優先権要求情報に対応する電界を電極から前記電界伝達媒体に誘起して電界により送信するステップと、を有し、前記起動トリガー出力装置により、前記第２の優先権要求情報に対する優先度よりも前記第１の優先権要求情報に対する優先度の方が高いことを定めた優先権情報を蓄積手段に蓄積しておくステップと、前記第１の携帯端末と前記第２の携帯端末とからそれぞれ送信された前記第１の優先権要求情報と前記第２の優先権要求情報とを電界によりそれぞれ受信するステップと、当該蓄積手段に蓄積された前記優先権情報を参照し、前記第１の携帯端末の優先度が高いことを示す優先度情報を生成して出力する制御を行うステップと、当該優先度情報に対応する電界を電極から前記電界伝達媒体に誘起して電界により出力するステップと、を有し、前記第１の携帯端末により、前記起動トリガー出力装置から出力された前記優先度情報を電界により受信するステップと、受信した当該優先度情報を参照し、当該第１の携帯端末の前記蓄積手段から読み出した前記第１の交換データを前記第２の携帯端末に送信する制御を行うステップと、前記第１の交換データに対応する電界を電極から前記電界伝達媒体に誘起して電界により送信するステップと、を有し、前記第２の携帯端末により、前記起動トリガー出力装置から出力された前記優先度情報を電界により受信するステップと、受信した当該優先度情報を参照し、前記第１の携帯端末から送信された前記第１の交換データを電界により受信して格納手段に格納した後に、当該第２の携帯端末の前記蓄積手段から読み出した前記第２の交換データを前記第１の携帯端末に送信する制御を行うステップと、前記第２の交換データに対応する電界を電極から前記電界伝達媒体に誘起して電界により送信して休止状態に戻るステップと、を有し、前記第１の携帯端末により、前記第２の携帯端末から送信された前記第２の交換データを電界により受信するステップと、受信した前記第２の交換データを格納手段に格納して前記休止状態に戻るステップと、を有することを要旨とする。
【発明の効果】
【００１４】
本発明によれば、電子名刺等の電気磁気的情報を容易かつ省電力で交換する情報交換システム及び情報交換方法を提供することができる。
【図面の簡単な説明】
【００１５】
【図１】第１の実施の形態に係る情報交換システムの機能構成を示す機能構成図である。
【図２】第１の実施の形態に係る情報交換システムの処理フローを示すフローチャートである。
【図３】携帯端末の各状態を示す図である。
【図４】第１の実施の形態に係る情報交換システムの使用状態の一例を示す図である。
【図５】第２の実施の形態に係る情報交換システムの機能構成を示す機能構成図である。
【図６】第２の実施の形態に係る情報交換システムの処理フローを示すフローチャートである。
【図７】第２の実施の形態に係る情報交換システムの使用状態の一例を示す図である。
【図８】電界通信部の回路構成を示す回路構成図である。
【発明を実施するための形態】
【００１６】
以下、本発明の実施の形態について図面を用いて説明する。
【００１７】
〔第１の実施の形態〕
図１は、第１の実施の形態に係る情報交換システムの機能構成を示す機能構成図である。本実施の形態に係る情報交換システム１は、電界を電界伝達媒体３００に誘起して電界通信を行うことが可能な第１携帯端末１００と第２携帯端末２００との間で電子名刺情報を交換する情報交換システムである。
【００１８】
まず、第１携帯端末１００の機能について説明する。第１携帯端末１００は、センサー部１０１と、センサー管理部１０２と、端末管理部１０３と、電界通信部１０４と、通信電極１０５と、グランド電極１０６と、出力部１０７と、蓄積部１０８とを備えている。
【００１９】
蓄積部１０８は、他の携帯端末を起動するための起動トリガーと、第１携帯端末１００のユーザに関する第１名刺情報（第１の交換データに相当）と、端末管理部１０３の休止状態（０）、起動状態（１）を示す状態フラグとを蓄積しておく機能を備えている。なお、この休止状態とは、他の携帯端末やユーザからの操作を受信待ち状態にあることを意味している。
【００２０】
センサー部１０１は、第１携帯端末１００の状態が変化した場合に、特定のイベントを出力する機能を備えている。具体的には、第１携帯端末１００が閉じた状態から開いた状態に変化した場合や、第１携帯端末１００に具備されている所定のボタンがユーザによって押下げられた場合に、他の携帯端末との名刺情報の交換を開始する開始イベントを出力する。
【００２１】
センサー管理部１０２は、センサー部１０１から出力された開始イベントを受け取った場合に、電力消費を抑える休止状態にある端末管理部１０３を起動状態に移行させる機能を備えている。具体的には、開始イベントを受信した後に、端末管理部１０３を起動する起動要求と、端末管理部１０３の状態を変更する状態フラグ変更要求とを端末管理部１０３に送信する。
【００２２】
端末管理部１０３は、センサー管理部１０２から起動要求を受け取った場合に、休止状態から起動状態に移行する制御を行う機能を備えている。また、蓄積部１０８に蓄積された起動トリガーを読み出して、電界伝達媒体３００を介して電界により他の携帯端末に送信する制御を行う機能を備えている。さらに、他の携帯端末から他の名刺情報を受信した場合に、当該他の名刺情報を蓄積部１０８に蓄積すると共に、蓄積部１０８から読み出した第１名刺情報を電界により送信する制御を行う機能を備えている。また、名刺情報の交換が終了した場合には、その終了を知らせる通知信号を出力し、当該通知信号の出力後、起動状態から休止状態に戻る機能を備えている。
【００２３】
電界通信部１０４は、端末管理部１０３からの送信制御に従って、起動トリガーと第１名刺情報とに対応する電界を通信電極１０５から電界伝達媒体３００に誘起して電界によりそれぞれ送信する機能を備えている。また、他の携帯端末から送信された他の名刺情報を電界により通信電極１０５で受信する機能を備えている。
【００２４】
出力部１０７は、端末管理部１０３から通知信号が出力された場合に、名刺情報の交換が終了したことをユーザに通知するため、お知らせベルを鳴らしたり、名刺情報交換終了や他の携帯端末から受信した他の名刺情報を表示する機能を備えている。
【００２５】
次に、第２携帯端末２００の機能について説明する。第２携帯端末２００は、第１携帯端末１００の各機能と同じ機能を備えている。ここでは、第２携帯端末２００が名刺情報の交換を要求される側である場合における機能について追加的に説明する。
【００２６】
蓄積部２０８は、他の携帯端末を起動するための起動トリガーと、第２携帯端末２００のユーザに関する第２名刺情報（第２の交換データに相当）と、端末管理部２０３の休止状態（０）、起動状態（１）を示す状態フラグとを蓄積しておく機能を備えている。
【００２７】
電界通信部２０４は、電界伝達媒体３００を介して他の携帯端末から伝達された起動トリガーを通信電極２０５で受信した場合に、電力消費を抑える休止状態にある端末管理部２０３を起動状態に移行させる機能を備えている。具体的には、起動トリガーを受信した後に、端末管理部２０３を起動する起動要求と、端末管理部２０３の状態を変更する状態フラグ変更要求とを端末管理部２０３に送信する。また、端末管理部２０３からの送信制御に従って、第２名刺情報に対応する電界を通信電極２０５から電界伝達媒体３００に誘起して電界により送信する機能を備えている。さらに、電界伝達媒体３００を介して伝達された他の名刺情報を電界により受信する機能を備えている。
【００２８】
端末管理部２０３は、他の携帯端末から受信した起動トリガーに基づく起動要求に従って休止状態から起動状態に移行し、蓄積部２０８から読み出した第２名刺情報を他の携帯端末に送信する制御を行う機能を備えている。また、他の携帯端末から他の名刺情報を受信した場合に、当該他の名刺情報を蓄積部２０８に蓄積し、名刺情報の交換が終了したこと知らせる通知信号を出力し、この通知信号の出力後、起動状態から休止状態に戻る機能を備えている。
【００２９】
次に、第１の実施の形態に係る情報交換システムの処理フローについて説明する。図２は、本実施の形態に係る情報交換システムの処理フローを示すフローチャートである。なお、第１携帯端末１００及び第２携帯端末２００はそれぞれ閉状態であり（Ｓ００１、Ｓ００２）、端末管理部１０３及び端末管理部２０３の状態フラグはそれぞれ休止状態（０）であるものとする（Ｓ００３、Ｓ００４）。また、第１携帯端末１００が名刺情報の交換を要求する側であって、第２携帯端末２００が要求される側であるものとする。
【００３０】
最初に、第１携帯端末１００のセンサー部１０１が、第１携帯端末１００が閉じた状態から開いた状態に変化した場合に、他の携帯端末との名刺情報の交換を開始する開始イベントをセンサー管理部１０２に出力する（Ｓ１０１）。なお、センサー部１０１は、第１携帯端末１００の開閉状態を契機とするのに代えて、前述したようにユーザによってボタンが任意の押下げられた場合に開始イベントを出力するようにしてもよい。携帯端末は、通常、図３に示すように、携帯端末が閉じられた状態や一定期間操作されていない場合には省電力状態となっている。そして、閉じられた状態から開いた状態に変化した場合には、後述するように起動トリガー送信状態に変化することになる。
【００３１】
続いて、センサー管理部１０２は、センサー部１０１から出力された開始イベントを受け取り、端末管理部１０３を起動させる起動要求と、端末管理部１０３の状態を変更する状態フラグ変更要求とを生成して端末管理部１０３に送信する（Ｓ１０２）。
【００３２】
端末管理部１０３は、起動要求と状態フラグ変更要求とを受信し、蓄積部１０８に蓄積されている状態フラグを休止状態（０）から起動状態（１）に変更する（Ｓ１０３）と共に、蓄積部１０８から読み出した起動トリガーを電界伝達媒体３００を介して電界により第２携帯端末２００に送信する制御を行う（Ｓ１０４）。
【００３３】
その後、電界通信部１０４は、起動トリガーに対応する電界を通信電極１０５から電界伝達媒体３００に誘起して電界により送信する（Ｓ１０５）。
【００３４】
一方、第２携帯端末２００の電界通信部２０４は、電界伝達媒体３００を介して第１携帯端末１００から伝達された起動トリガーを通信電極２０５で受信し、電力消費を抑える休止状態にある端末管理部２０３を起動状態に移行させる起動要求を生成し、端末管理部２０３に送信する（Ｓ１０６）。
【００３５】
そして、端末管理部２０３は、電界通信部２０４から送信された起動要求に基づいて休止状態から起動状態に移行（Ｓ１０７）し、蓄積部２０８から読み出した第２名刺情報を第１携帯端末１００に送信する制御を行う（Ｓ１０８）。
【００３６】
その後、電界通信部２０４は、端末管理部２０３からの送信制御に従って、第２名刺情報に対応する電界を通信電極２０５から電界伝達媒体３００に誘起して電界により送信する（Ｓ１０９）。
【００３７】
そして、第１携帯端末１００の電界通信部１０４は、第２携帯端末２００から送信された第２名刺情報を電界により通信電極１０５で受信する（Ｓ１１０）。
【００３８】
端末管理部１０３は、電界通信部１０４を介して第２携帯端末２００から第２名刺情報を受信して、受信した第２名刺情報を蓄積部１０８に蓄積（Ｓ１１１）し、蓄積部１０８から読み出した第１名刺情報を電界により第２携帯端末２００に送信する制御を行う（Ｓ１１２）。
【００３９】
電界通信部１０４は、端末管理部１０３からの送信制御に従って、第１名刺情報に対応する電界を通信電極１０５から電界伝達媒体３００に誘起して電界により送信する（Ｓ１１３）。
【００４０】
そして、第２携帯端末２００の電界通信部２０４は、電界伝達媒体３００を介して第１携帯端末１００から伝達された第１名刺情報を通信電極２０５で受信し、端末管理部２０３が、蓄積部２０８に蓄積する（Ｓ１１４）。
【００４１】
その後、端末管理部２０３は、第１名刺情報を受信したことに対する応答情報を第１携帯端末１００に送信（Ｓ１１５）し、名刺情報の交換が終了したことを知らせる通知信号を生成（Ｓ１１６）して出力部２０７に出力し、起動状態から休止状態に戻る（Ｓ１１７）。
【００４２】
出力部２０７は、端末管理部２０３から出力された通知信号を受信し、第２携帯端末２００のユーザに対してお知らせベルを鳴らしたり、名刺情報の交換が終了したことを表示する（Ｓ１１８）。
【００４３】
一方、第１携帯端末１００の端末管理部１０３は、第２携帯端末２００から送信された応答情報を受信した後に、名刺情報の交換が終了したことを知らせる通知信号を生成（Ｓ１１９）して出力部１０７に出力する。
【００４４】
出力部１０７は、端末管理部１０３から出力された通知信号を受信し、第１携帯端末１００のユーザに対してお知らせベルを鳴らしたり、名刺情報の交換が終了したことを表示する（Ｓ１２０）。
【００４５】
その後、センサー部１０１が、第１携帯端末１００が開いた状態から閉じた状態に変化した場合に、第２携帯端末２００との名刺情報の交換を終了する終了イベントをセンサー管理部１０２に出力する（Ｓ１２１）。
【００４６】
そして、センサー管理部１０２は、センサー部１０１から出力された終了イベントを受け取り、端末管理部１０３を休止させる休止要求と、端末管理部１０３の状態を再度変更する状態フラグ変更要求とを生成して端末管理部１０３に送信する（Ｓ１２２）。
【００４７】
最後に、端末管理部１０３は、休止要求と状態フラグ変更要求とを受信し、蓄積部１０８に蓄積されている状態フラグを起動状態（１）から休止状態（０）に変更して、休止状態に戻る（Ｓ１２３）。
【００４８】
以上の情報交換システムの構成及び処理によれば、例えば図４に示すように、電界伝達媒体３００として機能する自身３００ａが他人３００ｂと握手（第１携帯端末１００と第２携帯端末２００との通信経路が確保された状態）し、自身の第１携帯端末１００を開けるという非常に簡単な動作により、互いの名刺情報を交換することが可能となる。
【００４９】
〔第２の実施の形態〕
図５は、第２の実施の形態に係る情報交換システムの機能構成を示す機能構成図である。本実施の形態に係る情報交換システム１は、起動トリガー出力装置４００から出力される起動トリガーに基づいて、電界を電界伝達媒体３００に誘起して電界通信を行うことが可能な第１携帯端末１００と第２携帯端末２００との間で電子名刺情報を交換する情報交換システムである。
【００５０】
まず、第１携帯端末１００の機能について説明する。第１携帯端末１００は、端末管理部１０３と、電界通信部１０４と、通信電極１０５と、グランド電極１０６と、出力部１０７と、蓄積部１０８とを備えている。第２の実施の形態では、端末管理部１０３を起動する起動トリガーを出力するための起動トリガー出力装置４００が専用的に設けられているので、第１の実施の形態で説明した第１携帯端末１００と異なり、センサー部１０１とセンサー管理部１０２とが備わっていない点において異なっている。なお、第２携帯端末２００は、第１携帯端末１００の機能を同じ機能を備えているので、ここでは重複的な説明は省略するものとする。
【００５１】
蓄積部１０８は、優先度情報を要求する際に用いる第１優先権要求情報と、第１携帯端末１００のユーザに関する第１名刺情報（第１の交換データに相当）と、端末管理部１０３の休止状態（０）、起動状態（１）を示す状態フラグとを蓄積しておく機能を備えている。
【００５２】
端末管理部１０３は、起動トリガー出力装置４００から出力される起動トリガーを受信した場合に、当該起動トリガーに基づいて休止状態から起動状態に移行し、蓄積部１０８から読み出した第１名刺情報を他の携帯端末に送信する制御を行い、他の携帯端末から受信した他の名刺情報換データを蓄積部１０８に蓄積して休止状態に戻る機能を備えている。また、起動状態に移行した後に、蓄積部１０８から読み出した第１優先権要求情報を起動トリガー出力装置４００に送信する制御を行い、当該第１優先権要求情報に対して返信された優先度情報に基づいて、第１名刺情報を他の携帯端末に送信する制御を行う機能を備えている。
【００５３】
電界通信部１０４は、電界伝達媒体３００を介して起動トリガー出力装置４００から伝達された起動トリガーを通信電極１０５で受信した場合に、消費電力を抑える休止状態にある端末管理部１０３を起動状態に移行させる機能を備えている。具体的には、起動トリガーを受信した後に、端末管理部１０３を起動する起動要求を端末管理部１０３に送信する。また、端末管理部１０３からの送信制御に従って、第１名刺情報や第１優先権要求情報に対応する電界を通信電極１０５から電界伝達媒体３００に誘起して電界により送信する機能を備えている。さらに、電界伝達媒体３００を介して他の携帯端末や起動トリガー出力装置４００から伝達された他の名刺情報や優先度情報を電界により受信する機能を備えている。
【００５４】
出力部１０７は、端末管理部１０３から通知信号が出力された場合に、名刺情報の交換が終了したことをユーザに通知するため、お知らせベルを鳴らしたり、名刺情報交換終了や他の携帯端末から受信した他の名刺情報を表示する機能を備えている。
【００５５】
続いて、起動トリガー出力装置４００の機能について説明する。起動トリガー出力装置４００は、運用管理部４０１と、電界通信部４０２と、通信電極４０３と、グランド電極４０４と、蓄積部４０５とを備えている。
【００５６】
蓄積部４０５は、携帯端末を起動するための起動トリガーと、携帯端末に応じた優先度を示した優先権情報とを蓄積しておく機能を備えている。なお、本実施の形態に係る優先権情報には、第２携帯端末２００の優先度よりも第１携帯端末１００の優先度が高いことを示す情報が含まれているものとする。
【００５７】
運用管理部４０１は、所定の時間間隔で起動トリガーを繰り返し出力する制御を行う機能を備えている。また、複数の携帯端末から優先権要求情報を受信した場合に、蓄積部４０５に蓄積された優先権情報を参照し、優先度の高い携帯端末を決定し、決定された携帯端末に関する情報を優先度情報として生成した後に出力する制御を行う機能を備えている。
【００５８】
電界通信部４０２は、運用管理部４０１からの出力制御に従って、起動トリガーや優先度情報に対応する電界を通信電極４０３から電界伝達媒体３００に誘起して電界により出力する機能を備えている。また、電界伝達媒体３００を介して携帯端末から伝達された優先権要求情報を電界により受信する機能を備えている。
【００５９】
次に、第２の実施の形態に係る情報交換システムの処理フローについて説明する。図６は、本実施の形態に係る情報交換システムの処理フローを示すフローチャートである。なお、第１携帯端末１００の端末管理部１０３の情報フラグ、及び第２携帯端末２００の端末管理部２０３の状態フラグは、それぞれ休止状態（０）であるものとする（Ｓ００１、Ｓ００２）。
【００６０】
最初に、起動トリガー出力装置４００の運用管理部４０１が、蓄積部４０５から読み出した起動トリガーを所定の時間間隔で出力する制御を行う（Ｓ２０１）。
【００６１】
そして、電界通信部４０２は、運用管理部４０１からの出力制御に従って、起動トリガーに対応する電界を通信電極４０３から電界伝達媒体３００に誘起して電界により出力する（Ｓ２０２）。
【００６２】
続いて、第１携帯端末１００の電界通信部１０４は、電界伝達媒体３００を介して起動トリガー出力装置４００から伝達された起動トリガーを電界により受信（Ｓ２０３）し、端末管理部１０３を起動させる起動要求を生成して端末管理部１０３に送信する（Ｓ２０４）。
【００６３】
端末管理部１０３は、電界通信部１０４から送信された起動要求を受信し、この起動トリガーに基づいて休止状態から起動状態に移行（Ｓ２０５）し、蓄積部１０８から読み出した第１優先権要求情報を起動トリガー出力装置４００に送信する制御を行う（Ｓ２０６）。
【００６４】
その後、電界通信部１０４は、端末管理部１０３からの送信制御に従って、第１優先権要求情報に対応する電界を通信電極１０５から電界伝達媒体３００に誘起して電界により送信する（Ｓ２０７）。
【００６５】
また、Ｓ２０２で起動トリガー出力装置４００から出力された起動トリガーは、第２携帯端末２００にも伝達されているので、第２携帯端末２００の電界通信部２０４は、電界伝達媒体３００を介して起動トリガー出力装置４００から伝達された起動トリガーを電界により受信（Ｓ２０８）し、端末管理部２０３を起動させる起動要求を生成して端末管理部２０３に送信する（Ｓ２０９）。
【００６６】
端末管理部２０３は、電界通信部２０４から送信された起動要求を受信し、この起動トリガーに基づいて休止状態から起動状態に移行（Ｓ２１０）し、蓄積部２０８から読み出した第２優先権要求情報を起動トリガー出力装置４００に送信する制御を行う（Ｓ２１１）。
【００６７】
その後、電界通信部２０４は、端末管理部２０３からの送信制御に従って、第２優先権要求情報に対応する電界を通信電極２０５から電界伝達媒体３００に誘起して電界により送信する（Ｓ２１２）。
【００６８】
続いて、起動トリガー出力装置４００の電界通信部２０４は、第１携帯端末１００と第２携帯端末２００とからそれぞれ送信された第１優先権要求情報と第２優先権要求情報とを電界によりそれぞれ受信する（Ｓ２１３）。
【００６９】
運用管理部４０１は、第１優先権要求情報及び第２優先権要求情報を受信した後に、蓄積部４０５に蓄積された優先権情報を参照し、この優先権情報に記録されている優先度の高い携帯端末を決定し、当該携帯端末に関する情報を優先度情報として生成した後に出力する制御を行う（Ｓ２１４）。具体的には、この優先権情報には、第２携帯端末２００（第２優先権要求情報）に対する優先度よりも第１携帯端末１００（第１優先権要求情報）に対する優先度の方が高いことが定められているので、第１携帯端末の優先度が高いことを示す優先度情報が生成して出力される。
【００７０】
その後、電界通信部４０２は、運用管理部４０１からの出力制御に従って、優先度情報に対応する電界を通信電極４０３から電界伝達媒体３００に誘起して電界により出力する（Ｓ２１５）。
【００７１】
第２携帯端末２００の電界通信部２０４は、起動トリガー出力装置４００から出力された優先度情報を電界により受信する（Ｓ２１６）。
【００７２】
端末管理部２０３は、電界通信部２０４で受信した優先度情報を参照し、自身である第２携帯端末２００ではなく第１携帯端末１００の優先度が高いことが記録されているので、第１携帯端末１００から名刺情報が送信されるまで以降の処理を待機する（Ｓ２１７）。
【００７３】
また、Ｓ２１５で起動トリガー出力装置４００から出力された優先度情報は、第１携帯端末１００にも伝達されているので、第１携帯端末１００の電界通信部１０４は、起動トリガー出力装置４００から出力された優先度情報を電界により受信する（Ｓ２１８）。
【００７４】
そして、端末管理部１０３は、電界通信部１０４で受信した優先度情報を参照し、自身である第１携帯端末１００の優先度が高いことが記録されているので、蓄積部１０８から読み出した第１名刺情報を第２携帯端末２００に送信する制御を行う（Ｓ２１９）。
【００７５】
その後、電界通信部１０４は、第１名刺情報に対応する電界を通信電極１０５から電界伝達媒体３００に誘起して電界により送信する（Ｓ２２０）。
【００７６】
第２携帯端末２００の電界通信部２０４は、第１携帯端末１００から送信された第１名刺情報を電界により受信する（Ｓ２２１）。
【００７７】
そして、端末管理部２０３は、受信した第１名刺情報を蓄積部２０８に蓄積（Ｓ２２２）した後に、蓄積部２０８から読み出した第２名刺情報を第１携帯端末１００に送信する制御を行う（Ｓ２２３）。
【００７８】
その後、電界通信部２０４は、端末管理部２０３からの送信制御に従って、第２名刺情報に対応する電界を通信電極２０５から電界伝達媒体３００に誘起して電界により送信する（Ｓ２２４）。
【００７９】
また、端末管理部２０３は、名刺情報の交換が終了したことを知らせる通知信号を生成して出力部２０７に出力する（Ｓ２２５）。
【００８０】
出力部２０７は、端末管理部２０３から出力された通知信号を受信し、第２携帯端末２００のユーザに対してお知らせベルを鳴らしたり、名刺情報の交換が終了したことを表示する（Ｓ２２６）。
【００８１】
最後に、端末管理部２０３は、通知信号を出力した後に、起動状態から休止状態に戻る（Ｓ２２７）。
【００８２】
一方、第１携帯端末１００の電界通信部１０４は、第２携帯端末２００から送信された第２名刺情報を電界により受信する（Ｓ２２８）。
【００８３】
そして、端末管理部１０３は、受信した第２名刺情報を蓄積部１０８に蓄積（Ｓ２２９）した後に、名刺情報の交換が終了したことを知らせる通知信号を生成して出力部１０７に出力する（Ｓ２３０）。
【００８４】
出力部１０７は、端末管理部１０３から出力された通知信号を受信し、第１携帯端末１００のユーザに対してお知らせベルを鳴らしたり、名刺情報の交換が終了したことを表示する（Ｓ２３１）。
【００８５】
最後に、端末管理部１０３は、通知信号を出力した後に、起動状態から休止状態に戻る（Ｓ２３２）。
【００８６】
以上の情報交換システムの構成及び処理によれば、例えば図７に示すように、電界伝達媒体３００として機能する自身３００ａと他人３００ｂとが起動トリガーを出力して電界を伝達するエリアに移動（第１携帯端末１００と第２携帯端末２００との通信経路が確保された状態）し、自身の第１携帯端末１００を開けるという非常に簡単な動作により、互いの名刺情報を交換することが可能となる。
【００８７】
各実施の形態によれば、名刺情報の交換に際して電界通信を用いているので、従来のように相手の携帯端末の宛先情報等を設定しなくとも容易に電子名刺交換を行うことが可能となる。また、携帯端末の開閉状態やボタンのオンオフ状態に基づく場合にのみ端末管理部を起動状態に変化させて名刺情報を交換を行い、名刺交換が終了すれば休止状態に戻るので、電力消費を抑えた情報交換システムを提供することが可能となる。
【００８８】
各実施の形態では名刺情報を交換する場合を一例に説明したが、携帯端末間で情報を交換可能なものであれば当該名刺情報に限定されるものではなく、例えば、電話番号、住所録、メールアドレス等を交換する場合にも適用することが可能である。
【００８９】
各実施の形態では２つの携帯端末を用いて情報を交換する場合を一例に説明したが、３つ以上の携帯端末を用いた場合であっても同様の効果を得ることが可能である。携帯端末としては、携帯電話、ＰＤＡ等を一例に挙げることができる。
【００９０】
各実施の形態で説明した情報交換システムは、コンピュータで構成され、各機能ブロックの各処理はプログラムで実行されるようになっている。また、各実施の形態で説明した情報交換システムの各処理動作をプログラムとして例えばコンパクトディスクやフロッピー（登録商標）ディスク等の記録媒体に記録して、この記録媒体をコンピュータに組み込んだり、若しくは記録媒体に記録されたプログラムを、任意の通信回線を介してコンピュータにダウンロードしたり、又は記録媒体からインストールし、該プログラムでコンピュータを動作させることにより、上述した各処理動作を情報交換システムとして機能させることができるのは勿論である。
【００９１】
各実施の形態で説明した電界通信部の処理動作を第１携帯端末１００の電界通信部１０４、通信電極１０５、グランド電極１０６を用いて説明する。図８は、電界通信部１０４の回路構成を示す回路構成図である。この電界通信部１０４は、インタフェース回路８１を介して端末管理部１０３に接続されている。電界通信部１０４は、この端末管理部１０３からインタフェース回路８１を介して他の携帯端末に送信するための送信データ（各実施の形態で説明した起動トリガー、第１名刺情報、第１優先権情報等）を受け取ると、レベル調整回路８２で送信データの信号振幅を調整してから、送信回路８３を介して送信電極として機能する第２の通信電極１０５ｂに供給するようになっている。
【００９２】
第２の通信電極１０５ｂは、送信回路８３から送信データが供給されると、この送信データに対応する電界を電界伝達媒体３００に誘起する。この誘起された電界は、電界伝達媒体３００としての人体等を伝達して、他の携帯端末の受信電極で受信される。
【００９３】
一方、電界検出部８４は、受信電極として機能する第１の通信電極１０５ａで受信した電界を電気信号に変換する。この電気信号は、信号処理回路８５での帯域制限により不要な雑音が除去され、更に波形整形回路８６で波形が整形されてから、インタフェース回路８１を介して端末管理部１０３に供給されるようになっている。なお、図１及び図５に示したグランド電極１０６は、図８を用いて説明した電界検出部８４に設けられている。
【００９４】
最後に、電界を伝達する電界伝達媒体に対して送信すべきデータに基づく電界を誘起させ、また電界伝達媒体に誘起された電界を検出してデータ通信を行う電界通信装置に関する技術については、特許文献１に開示されていることを付言しておく。
【符号の説明】
【００９５】
８１…インタフェース回路
８２…レベル調整回路
８３…送信回路
８４…電界検出部
８５…信号処理回路
８６…波形整形回路
１００…第１携帯端末
１０１…センサー部
１０２…センサー管理部
１０３，１０３’…端末管理部
１０４，１０４’…電界通信部
１０５，１０５’…通信電極
１０５ａ，１０５ａ’…第１の通信電極（受信電極）
１０５ｂ，１０５ｂ’…第２の通信電極（送信電極）
１０６…グランド電極
１０７…出力部
１０８…蓄積部
２００…第２携帯端末
２０１…センサー部
２０２…センサー管理部
２０３…端末管理部
２０４…電界通信部
２０５…通信電極
２０６…グランド電極
２０７…出力部
２０８…蓄積部
３００…電界伝達媒体
３００ａ…自身（電界伝達媒体）
３００ｂ…他人（電界伝達媒体）
４００…起動トリガー出力装置
４０１…運用管理部
４０２…電界通信部
４０３…通信電極
４０４…グランド電極
４０５…蓄積部
Ｓ００１〜Ｓ００４、Ｓ１０１〜Ｓ１２３、Ｓ２０１〜Ｓ２３２…ステップ
【図１】
2010193129.tif 000003
【図２】
2010193129.tif 000004
【図３】
2010193129.tif 000005
【図４】
2010193129.tif 000006
【図５】
2010193129.tif 000007
【図６】
2010193129.tif 000008
【図７】
2010193129.tif 000009
【図８】
2010193129.tif 000010